(57)【要約】【課題】意匠性に優れ、段鼻化粧材の交換が容易な段板構造を提供する。【解決手段】枠体１１１及び当該枠体１１１の内部に中実に形成された段板本体１１２を有する段板１１０と、段板１１０に取り付けられた前側受材１２０と、前側受材１２０と嵌合することで当該前側受材１２０に取り付けられ、段板１１０の段鼻側の端部を被覆する段鼻化粧材１５０と、を具備し、段鼻化粧材１５０は、段板１１０と前側受材１２０との取付部分、及び前側受材１２０と当該段鼻化粧材１５０との嵌合部分を被覆するように設けられている。【選択図】図３
2019173411.tif 000002
【特許請求の範囲】
【請求項１】
枠体及び当該枠体の内部に中実に形成された段板本体を有する段板と、
前記段板に取り付けられた取付部材と、
前記取付部材と嵌合することで当該取付部材に取り付けられ、前記段板の段鼻側の端部を被覆する段鼻化粧材と、
を具備し、
前記段鼻化粧材は、
前記段板と前記取付部材との取付部分、及び前記取付部材と当該段鼻化粧材との嵌合部分を被覆するように設けられている、
段板構造。
【請求項２】
前記段鼻化粧材は、
前記取付部材を介することなく前記段板とねじ締結されている、
請求項１に記載の段板構造。
【請求項３】
前記段鼻化粧材は、
前記段板の段鼻側の端部の上面を被覆する上面部を具備すると共に、前記上面部において前記段板とねじ締結されており、
前記段板構造は、
前記段板の上面に設けられ、前記段板と前記段鼻化粧材とのねじ締結部分を被覆する上面化粧材を具備する、
請求項２に記載の段板構造。
【請求項４】
前記上面化粧材は、
前記段鼻化粧材の前記上面部と嵌合することで当該上面部に取り付けられている、
請求項３に記載の段板構造。
【請求項５】
前記取付部材は、
前記段板の底面及び段鼻側の端面に沿うように形成されている、
請求項１から請求項４までのいずれか一項に記載の段板構造。
【請求項６】
前記段板の底面に設けられた底面化粧材を具備する、
請求項１から請求項５までのいずれか一項に記載の段板構造。
【請求項７】
前記段鼻化粧材は、
アルミニウム製である、
請求項１から請求項６までのいずれか一項に記載の段板構造。
【請求項８】
屋外階段に使用される、
請求項１から請求項７までのいずれか一項に記載の段板構造。
【発明の詳細な説明】
【技術分野】
【０００１】
本発明は、階段の段板構造の技術に関する。
【背景技術】
【０００２】
従来、階段の段板構造の技術は公知となっている。例えば、特許文献１に記載の如くである。
【０００３】
特許文献１には、鋼製段板と、固着具により鋼製段板に固定された化粧段板と、接着剤により化粧段板に固定された段鼻化粧材とを具備する段板構造が記載されている。当該段鼻化粧材は、化粧段板を固定するための固着具を覆うように設けられている。このため、固着具が表面に露出せず、意匠性に優れたものとすることができる。
【先行技術文献】
【特許文献】
【０００４】
【特許文献１】特開平６−２４０８３３号公報
【発明の概要】
【発明が解決しようとする課題】
【０００５】
しかしながら、特許文献１に記載の段板構造は、接着剤で段鼻化粧材を段板に固定しているため、段鼻化粧材の交換が容易でないという問題があった。また、段鼻化粧材は傷ついても容易に交換できないため、段鼻化粧材の長年の使用により意匠性が低下するという問題があった。
【０００６】
本発明は以上の如き状況に鑑みてなされたものであり、意匠性に優れ、段鼻化粧材の交換が容易な段板構造を提供することである。
【課題を解決するための手段】
【０００７】
本発明の解決しようとする課題は以上の如くであり、次にこの課題を解決するための手段を説明する。
【０００８】
即ち、枠体及び当該枠体の内部に中実に形成された段板本体を有する段板と、前記段板に取り付けられた取付部材と、前記取付部材と嵌合することで当該取付部材に取り付けられ、前記段板の段鼻側の端部を被覆する段鼻化粧材と、を具備し、前記段鼻化粧材は、前記段板と前記取付部材との取付部分、及び前記取付部材と当該段鼻化粧材との嵌合部分を被覆するように設けられているものである。
【０００９】
前記段鼻化粧材は、前記取付部材を介することなく前記段板とねじ締結されているものであってもよい。
このような構成により、段鼻化粧材を段板により強固に取り付けることができる。
【００１０】
前記段鼻化粧材は、前記段板の段鼻側の端部の上面を被覆する上面部を具備すると共に、前記上面部において前記段板とねじ締結されており、前記段板構造は、前記段板の上面に設けられ、前記段板と前記段鼻化粧材とのねじ締結部分を被覆する上面化粧材を具備するものであってもよい。
このような構成により、段板と段鼻化粧材とのねじ締結部分を視認できないようにすることができるため、意匠性に優れたものとすることができる。
【００１１】
前記上面化粧材は、前記段鼻化粧材の前記上面部と嵌合することで当該上面部に取り付けられているものであってもよい。
このような構成により、段鼻化粧材から上面化粧材が浮き上がるのを防止することができると共に、嵌合を解除することで、段鼻化粧材から上面化粧材を容易に剥がすことができる。このため、段板と段鼻化粧材とのねじ締結部分を露出させることができ、ひいては、段板から段鼻化粧材を容易に取り外すことができる。
【００１２】
前記取付部材は、前記段板の底面及び段鼻側の端面に沿うように形成されているものであってもよい。
このような構成により、取付部材の位置決め及び取付けを容易に行うことができる。
【００１３】
前記段板の底面に設けられた底面化粧材を具備するものであってもよい。
このような構成により、段板の底面を意匠性に優れたものとすることができる。
【００１４】
前記段鼻化粧材は、アルミニウム製であってもよい。
このような構成により、段鼻化粧材を軽量化することができ、ひいては施工性を向上させることができる。
【００１５】
屋外階段に使用されるものであってもよい。
このような構成により、段鼻化粧材の交換が容易であるので、段鼻化粧材が傷つき易い屋外で使用する場合であっても、優れた意匠性を保つことができる。
【発明の効果】
【００１６】
意匠性に優れ、段鼻化粧材の交換が容易な段板構造とすることができる。
【図面の簡単な説明】
【００１７】
【図１】本発明の一実施形態に係る段板構造が使用される屋外階段の斜視図。
【図２】本発明の一実施形態に係る段板構造の側面断面図。
【図３】本発明の一実施形態に係る段板構造の一部の側面断面図。
【図４】段板本体の材料を枠体に充填した様子を示した側面断面図。
【図５】底面化粧材を取り付ける様子を示した側面断面図。
【図６】段鼻化粧材を取り付ける様子を示した側面断面図。
【図７】上面化粧材を取り付ける様子を示した側面断面図。
【発明を実施するための形態】
【００１８】
まず、図１を用いて、本発明の一実施形態に係る段板構造１００が使用される屋外階段１の構成について説明する。
【００１９】
屋外階段１は、賃貸住宅等の住宅の共用部分に設けられるものである。屋外階段１は、主として、側板１０、段板構造１００及び蹴込板２０を具備する。
【００２０】
側板１０は、屋外階段１の左右側面部を構成するものであり、例えばささら桁である。側板１０は、板状に形成され、板面を左右方向に向けた状態で屋外階段１の左右端部に設けられる。図１においては、左右の側板１０のうち右側の側板１０のみ図示している。
【００２１】
段板構造１００は、屋外階段１を上り下りする際に屋外階段１の利用者が足を乗せる（踏む）部分である。段板構造１００は、左右の側板１０の間に亘るように設けられ、当該左右の側板１０によって支持される。段板構造１００は、屋外階段１の進行方向に並ぶように（後方に向かうにつれて上方に位置するように）複数設けられる。段板構造１００の詳細については後述する。
【００２２】
蹴込板２０は、隣り合う上下の段板構造１００の隙間を隠す等の目的で設けられるものである。蹴込板２０は、矩形板状に形成され、板面を前後方向に、かつ長手方向を左右方向に向けた状態で、段板構造１００の後端部に設けられる。蹴込板２０は、段板構造１００の後端部から上方に立ち上がるように設けられる。
【００２３】
次に、図２及び図３等を用いて、本発明の一実施形態に係る段板構造１００の構成について説明する。
【００２４】
段板構造１００は、長手方向を左右方向に向けた略直方体状に形成される。段板構造１００は、段板１１０、前側受材１２０、底側受材１３０、底面化粧材１４０、段鼻化粧材１５０及び上面化粧材１６０を具備する。
【００２５】
段板１１０は、段板構造１００の主たる構造体を構成するものである。段板１１０は、枠体１１１及び段板本体１１２を具備する。
【００２６】
枠体１１１は、段板１１０の外郭を構成するものである。枠体１１１は、上方が開放された中空の略直方体状に形成される。枠体１１１は、長手方向を左右方向に向けて設けられる。枠体１１１は、鉄等の金属材料により形成される。
【００２７】
段板本体１１２は、枠体１１１の内部に中実に形成された部分（段板１１０の中実部を構成する）ものである。段板本体１１２は、コンクリートを枠体１１１の内部に充填することにより形成される。
【００２８】
前側受材１２０は、後述する段鼻化粧材１５０を取り付けるためのものである。前側受材１２０は、正面視略矩形状に形成される。前側受材１２０は、長手方向を左右方向に向けて、段板１１０（枠体１１１）の前側面にねじ等によって取り付けられる。前側受材１２０には、被嵌合穴１２１が形成される。
【００２９】
図３に示す被嵌合穴１２１は、後述する段鼻化粧材１５０が嵌合する部分である。被嵌合穴１２１は、前側受材１２０の前面に（前側受材１２０の前面が開口するように）凹状に形成される。被嵌合穴１２１は、前側受材１２０の左右側面が開口するように形成されていてもよく、前側受材１２０の左右中途部に形成されていてもよい。被嵌合穴１２１は、上下に間隔をおいて、一対形成される。以下では、上側の被嵌合穴１２１を被嵌合穴１２１ａと称し、下側の被嵌合穴１２１を被嵌合穴１２１ｂと称する。
【００３０】
図３及び図４等に示す被嵌合穴１２１ａは、後方に向かうにつれて上方に（斜め方向に）延びるように形成される。また、被嵌合穴１２１ａは、その後端部（前側受材１２０の前後中途部）において上方に屈曲するように形成される。これにより、被嵌合穴１２１ａの入口部分（前端部）には、上面から下方に（被嵌合穴１２１ａの内部に）突出する爪部１２２ａが形成される。
【００３１】
図３及び図４等に示す被嵌合穴１２１ｂは、後方に向かうにつれて下方に（斜め方向に）延びるように形成される。また、被嵌合穴１２１ｂは、その後端部（前側受材１２０の前後中途部）において下方に屈曲するように形成される。これにより、被嵌合穴１２１ｂの入口部分（前端部）には、下面から上方に（被嵌合穴１２１ｂの内部に）突出する爪部１２２ｂが形成される。
【００３２】
底側受材１３０は、後述する底面化粧材１４０を取り付けるためのものである。底側受材１３０は、底面化粧材１４０を固定可能な適宜の形状に形成される。底側受材１３０は、ねじ等により、段板１１０（枠体１１１）の前端部の底面に取り付けられる。
【００３３】
このような前側受材１２０及び底側受材１３０は、右側面視略Ｌ字状となるように、溶接等により一体的に形成されていてもよい。また、前側受材１２０及び底側受材１３０は、別体物を一体的に形成するものでなく、そもそも一体物として形成されていてもよい。
【００３４】
底面化粧材１４０は、段板構造１００の底部の意匠性（見栄え）を向上させるためのものである。底面化粧材１４０は、底面視矩形板状に形成される。底面化粧材１４０は、アルミニウム製に形成される。底面化粧材１４０は、板面を上下方向に向けた状態で段板１１０（枠体１１１）の底面（下面）側に設けられる。底面化粧材１４０の前部は、嵌合等適宜の方法により底側受材１３０に固定される。底面化粧材１４０の後部は、ねじ等の適宜の方法により段板１１０に固定される。
【００３５】
段鼻化粧材１５０は、段板１１０の段鼻側（前側）の端部を被覆するものである。段鼻化粧材１５０は、右側面視においてＬ字を１８０度回転させたような形状（側面視逆Ｌ字状）に形成される。段鼻化粧材１５０は、アルミニウム製に形成される。段鼻化粧材１５０は、正面部１５１及び上面部１５３を具備する。
【００３６】
図３に示す正面部１５１は、側面視逆Ｌ字状の段鼻化粧材１５０のうち、前部を構成する部分（側面視において上下方向に延びる部分）である。正面部１５１は、正面視矩形状に形成される。正面部１５１の後面は、前側受材１２０の前面と当接するように設けられる。正面部１５１には、嵌合部１５２が形成される。
【００３７】
嵌合部１５２は、前側受材１２０と嵌合する部分である。嵌合部１５２は、正面部１５１から後方に突出するように形成される。嵌合部１５２は、前側受材１２０の被嵌合穴１２１と対応する位置に、上下に間隔をおいて一対形成される。以下では、上側の嵌合部１５２を嵌合部１５２ａと称し、下側の嵌合部１５２を嵌合部１５２ｂと称する。
【００３８】
図３及び図６等に示す嵌合部１５２ａは、前側受材１２０の被嵌合穴１２１ａと嵌合可能な形状に形成される。具体的には、嵌合部１５２ａは、被嵌合穴１２１ａに挿入可能に形成されるとともに、爪部１２２ａに係合可能に形成される。
【００３９】
図３及び図６等に示す嵌合部１５２ｂは、前側受材１２０の被嵌合穴１２１ｂと嵌合可能な形状に形成される。具体的には、嵌合部１５２ｂは、被嵌合穴１２１ｂに挿入可能に形成されるとともに、爪部１２２ｂに係合可能に形成される。
【００４０】
図３に示す上面部１５３は、側面視逆Ｌ字状の段鼻化粧材１５０のうち、上部を構成する部分（側面視において前後方向に延びる部分）である。上面部１５３は、正面部１５１の上端部から後方に延びるように形成される。上面部１５３は、段板１１０（枠体１１１）の前側（段鼻側）の端部の上面に載置され、当該上面を被覆するように設けられている。上面部１５３には、被嵌合穴１５４が形成される。
【００４１】
図３及び図６等に示す被嵌合穴１５４は、後述する上面化粧材１６０が嵌合する部分である。被嵌合穴１５４は、段鼻化粧材１５０の上面に（上面が開口するように）凹状に形成される。被嵌合穴１５４は、側面視略円状に形成される。被嵌合穴１５４は、前後に間隔をおいて一対形成される。
【００４２】
このように形成された段鼻化粧材１５０は、段板１１０の段鼻側（前側）の端部を覆うとともに、段鼻化粧材１５０（正面部１５１）の前面が外部に露出するように設けられる（図１参照）。これにより、段板構造１００ひいては屋外階段１の意匠性を向上させることができる。さらに、段鼻化粧材１５０は、段板１１０と前側受材１２０との取付部分、及び前側受材１２０と段鼻化粧材１５０との嵌合部分（被嵌合穴１２１及び嵌合部１５２）を、全体的に被覆するように設けられている。これにより、段板１１０と前側受材１２０との取付部分、及び前側受材１２０と段鼻化粧材１５０との嵌合部分（被嵌合穴１２１及び嵌合部１５２）を、外部から視認できないようにすることができる。よって、段板構造１００ひいては屋外階段１の意匠性をさらに向上させることができる。
【００４３】
上面化粧材１６０は、段板構造１００の上部の意匠性（見栄え）を向上させるためのものである。上面化粧材１６０は、平面視矩形板状に形成され、板面を上下方向に向けた状態で段板１１０の上面側に設けられる。上面化粧材１６０は、可撓性材料により形成され、例えばゴム製に形成される。これにより、屋外階段１の利用者がすべり難いようにすることができる。上面化粧材１６０には、嵌合部１６１が形成される。
【００４４】
図３及び図７等に示す嵌合部１６１は、段鼻化粧材１５０の被嵌合穴１５４と嵌合する部分である。嵌合部１６１は、上面化粧材１６０から下方に突出するように形成される。嵌合部１６１は、前後に間隔をおいて、被嵌合穴１５４と対応する位置に一対形成される。嵌合部１６１は、被嵌合穴１５４と概ね同じ形状に形成されることで、被嵌合穴１５４と嵌合可能に形成される。
【００４５】
このように形成された上面化粧材１６０において、上面化粧材１６０のうち段鼻化粧材１５０の上面部１５３と対向する部分以外の部分（前端部を除く部分）は、接着剤１６２により段板１１０と固定されている（図７参照）。また、嵌合部１６１が段鼻化粧材１５０の被嵌合穴１５４と嵌合することで、接着剤１６２によって接着されていない上面化粧材１６０の前部の浮き上がりを防止している。
【００４６】
次に、図４から図７を用いて、本発明の一実施形態に係る段板構造１００の製造方法について説明する。
【００４７】
まず、図４に示すように、枠体１１１の内部に、コンクリートを充填する。そして、充填したコンクリートの上面を平らにして段板本体１１２を成形することで、段板１１０を形成する。
【００４８】
次いで、前側受材１２０及び底側受材１３０をねじ等により枠体１１１に固定する。このとき、前側受材１２０が枠体１１１の前面に当接するように、かつ、底側受材１３０が枠体１１１の底面に当接するように設けられる。前側受材１２０及び底側受材１３０は一体的に、かつ、右側面視略Ｌ字状に形成されているため、段板１１０の前側（段鼻側）及び底面の端面に沿わせた状態で位置決めすることができる。このため、前側受材１２０及び底側受材１３０の位置決め及び取付けを容易に行うことができる。
【００４９】
次に、図５に示すように、底面化粧材１４０を段板１１０の底面側に固定する。底面化粧材１４０の前部は、底側受材１３０に嵌合させる等の適宜の方法で当該底側受材１３０に固定する。底面化粧材１４０の後部は、ねじ等の適宜の方法で枠体１１１の後部に固定する。
【００５０】
次に、図６に示すように、段鼻化粧材１５０を段板１１０及び前側受材１２０に固定する。具体的には、段鼻化粧材１５０の上面部１５３を段板１１０（枠体１１１）の前側（段鼻側）の端部の上面に載置し、段鼻化粧材１５０の嵌合部１５２を前側受材１２０の被嵌合穴１２１に嵌合させる。具体的には、嵌合部１５２ａを被嵌合穴１２１ａに挿入して爪部１２２ａに係合させる（被嵌合穴１２１ａに嵌合させる）。これと同時に、嵌合部１５２ｂを被嵌合穴１２１ｂに挿入して爪部１２２ｂに係合させる（被嵌合穴１２１ｂに嵌合させる）。
【００５１】
次に、段鼻化粧材１５０の上面部１５３を、段板１１０にねじｂで固定する。段鼻化粧材１５０の上面部１５３及び枠体１１１に形成された貫通孔に上方からねじｂを通し、段板本体１１２にねじ込むことにより、上面部１５３を段板１１０に固定する。
【００５２】
このようにして、段鼻化粧材１５０の嵌合部１５２を前側受材１２０の被嵌合穴１２１に嵌合させるとともに、段鼻化粧材１５０の上面部１５３を段板１１０にねじ締結（ねじｂで固定）することにより、段鼻化粧材１５０を段板１１０及び前側受材１２０に取り付けることができる。
【００５３】
このように、嵌合だけでなくねじ締結も併用することにより、段鼻化粧材１５０を強固に段板１１０に固定することができる。また、利用者の上り下りの際に荷重がかかり易い部分である上面部１５３を、ねじｂによって段板１１０に直接（前側受材１２０を介することなく）締結しているため、段鼻化粧材１５０の取り付けの安定性を向上させることができる。
【００５４】
また、段鼻化粧材１５０は比較的軽量なアルミニウム製であるため、段板構造１００の軽量化を図ることができる。また、段鼻化粧材１５０の取り付けの際の施工性を向上させることができる。
【００５５】
次に、蹴込板２０を段板１１０（枠体１１１）の後端部に、適宜の方法で固定する。
【００５６】
次に、図７に示すように、上面化粧材１６０を、嵌合部１６１が形成された面を下方に向けた状態で、段板１１０等の上面に敷設する。これにより、段板構造１００の上面の意匠性を向上させることができる。このとき、上面化粧材１６０のうち段鼻化粧材１５０の上面部１５３と対向する部分以外の部分（前端部を除く部分）は、接着剤１６２により段板１１０と固定する。そして、上面化粧材１６０の前部で段鼻化粧材１５０の上面部１５３を覆うとともに、上面化粧材１６０の嵌合部１６１を段鼻化粧材１５０の被嵌合穴１５４に嵌合させる。
【００５７】
これにより、上面化粧材１６０の前部の浮き上がりが防止される。さらに、上面化粧材１６０の前部で、段板１１０と段鼻化粧材１５０とのねじｂによる締結部分が被覆されるため、当該締結部分を外部から視認できないようにすることができる。したがって、段板構造１００ひいては屋外階段１の意匠性を向上させることができる。
【００５８】
以上のようにして、段板構造１００を製造することができる。
【００５９】
このように製造される段板構造１００は屋外階段１に使用されるため、利用者は靴を履いた状態で段板構造１００に足を乗せることとなる。よって、屋内で使用される場合と比べて、段鼻化粧材１５０は傷つき易い状態で使用される。そこで、本実施形態に係る段板構造１００は、上述のように構成されることにより、段鼻化粧材１５０を容易に交換可能に形成されている。以下、段鼻化粧材１５０の取り外し方法について説明する。
【００６０】
まず、上面化粧材１６０の前端部をめくるように上後方に引っ張ることで、嵌合部１６１と被嵌合穴１５４との嵌合を解除する。そうすることで、上面化粧材１６０の前部を段鼻化粧材１５０の上面部１５３から容易に剥がすことができる。これにより、段板１１０と段鼻化粧材１５０とのねじｂによる締結部分を露出させることができる。このように、上面化粧材１６０の全体を接着剤１６２で固定せず、前端部を嵌合により固定しているため、ねじｂを容易に取り外すことができる。
【００６１】
次に、段鼻化粧材１５０を押し上げて下側の嵌合部１５２ｂと爪部１２２ｂとの係合をはずすことで、嵌合部１５２ｂと被嵌合穴１２１ｂの嵌合を解除する。そして、段鼻化粧材１５０を下方にずらして上側の嵌合部１５２ａと爪部１２２ａとの係合をはずすことで、嵌合部１５２ａと被嵌合穴１２１ａの嵌合を解除する。
【００６２】
このようにして、段鼻化粧材１５０は、溶接等の固定手段ではなく、嵌合やねじ締結により前側受材１２０及び段板１１０に取り付けられているため、容易に取り外すことができる。このため、長年の使用等により段鼻化粧材１５０がさびたり傷ついた場合に、新しい段鼻化粧材１５０に容易に交換することができる。したがって、段鼻化粧材１５０の傷つきによる段板構造１００ひいては屋外階段１の意匠性の低下を防止することができる。
【００６３】
以上の如く、本実施形態に係る段板構造１００は、枠体１１１及び当該枠体１１１の内部に中実に形成された段板本体１１２を有する段板１１０と、前記段板１１０に取り付けられた前側受材１２０（取付部材）と、前記前側受材１２０と嵌合することで当該前側受材１２０に取り付けられ、前記段板１１０の段鼻側の端部を被覆する段鼻化粧材１５０と、を具備し、前記段鼻化粧材１５０は、前記段板１１０と前記前側受材１２０との取付部分、及び前記前側受材１２０と当該段鼻化粧材１５０との嵌合部分を被覆するように設けられているものである。
このように構成することにより、意匠性に優れ、段鼻化粧材１５０の交換が容易な段板構造１００とすることができる。
【００６４】
また、前記段鼻化粧材１５０は、前記前側受材１２０を介することなく前記段板１１０とねじ締結されているものである。
このように構成することにより、段鼻化粧材１５０を段板１１０により強固に取り付けることができる。
【００６５】
また、前記段鼻化粧材１５０は、前記段板１１０の段鼻側の端部の上面を被覆する上面部１５３を具備すると共に、前記上面部１５３において前記段板１１０とねじ締結されており、前記段板構造１００は、前記段板１１０の上面に設けられ、前記段板１１０と前記段鼻化粧材１５０とのねじ締結部分を被覆する上面化粧材１６０を具備するものである。
このように構成することにより、段板１１０と段鼻化粧材１５０とのねじ締結部分を視認できないようにすることができるため、意匠性に優れたものとすることができる。
【００６６】
また、前記上面化粧材１６０は、前記段鼻化粧材１５０の前記上面部１５３と嵌合することで当該上面部１５３に取り付けられているものである。
このように構成することにより、段鼻化粧材１５０から上面化粧材１６０が浮き上がるのを防止することができると共に、被嵌合穴１５４と嵌合部１６１との嵌合を解除することで、段鼻化粧材１５０から上面化粧材１６０を容易に剥がすことができる。このため、段板１１０と段鼻化粧材１５０とのねじ締結部分を露出させることができ、ひいては、段板１１０から段鼻化粧材１５０を容易に取り外すことができる。
【００６７】
また、前記前側受材１２０及び底側受材１３０は、前記段板１１０の底面及び段鼻側の端面に沿うように形成されているものである。
このように構成することにより、前側受材１２０及び底側受材１３０の位置決め及び取付けを容易に行うことができる。
【００６８】
また、本実施形態に係る段板構造１００は、前記段板１１０の底面に設けられた底面化粧材１４０を具備するものである。
このように構成することにより、段板１１０の底面を意匠性に優れたものとすることができる。
【００６９】
また、前記段鼻化粧材１５０は、アルミニウム製であるものである。
このように構成することにより、段鼻化粧材１５０を軽量化することができ、ひいては施工性を向上させることができる。
【００７０】
また、本実施形態に係る段板構造１００は、屋外階段１に使用されるものである。
このように構成することにより、段鼻化粧材１５０の交換が容易であるので、段鼻化粧材１５０が傷つき易い屋外で使用する場合であっても、優れた意匠性を保つことができる。
【００７１】
なお、本実施形態に係る前側受材１２０（及び底側受材１３０）は、取付部材の実施の一形態である。
【００７２】
以上、本発明の一実施形態を説明したが、本発明は上記構成に限定されるものではなく、特許請求の範囲に記載された発明の範囲内で種々の変更が可能である。
【００７３】
例えば、本実施形態においては、段鼻化粧材１５０は、段板１１０と前側受材１２０との取付部分、及び前側受材１２０と段鼻化粧材１５０との嵌合部分を全体的に被覆するものとしたが、これに限定されるものではなく、一部を被覆するものであってもよい。
【００７４】
また、本実施形態においては、段鼻化粧材１５０の上面部１５３は、段板１１０とねじ締結されるものとしたが、これに限定されるものではなく、例えば嵌合により固定されるものであってもよい。
【００７５】
また、本実施形態においては、段鼻化粧材１５０はアルミニウム製としたが、適宜の材料とすることができ、例えばステンレス製であってもよい。
【００７６】
また、本実施形態においては、上面化粧材１６０のうち段鼻化粧材１５０の上面部１５３と対向する部分以外の部分（前端部を除く部分）は、接着剤１６２により段板１１０と固定されているものとしたが、固定手段はこれに限定されるものではなく、例えば両面テープにより固定されていてもよい。
【００７７】
また、本実施形態においては、段鼻化粧材１５０は、屋外階段１に使用されるものとしたが、屋内階段に使用することもできる。
【００７８】
また、本実施形態においては、段鼻化粧材１５０（上面部１５３）と上面化粧材１６０とが嵌合する部分は、上面部１５３側が被嵌合穴１５４により凹状に形成され、上面化粧材１６０側が嵌合部１６１により凸状（突出するように）形成されるものとしたが、これに限定されるものではない。例えば、前記嵌合する部分は、上面部１５３側が凸状に形成され、上面化粧材１６０側が凹状に形成されるものであってもよく、又はこれらが組み合わされて形成されるものであってもよい。
【符号の説明】
【００７９】
１        屋外階段
１００    段板構造
１１０    段板
１１１    枠体
１１２    段板本体
１２０    前側受材
１３０    底側受材
１４０    底面化粧材
１５０    段鼻化粧材
１６０    上面化粧材
【図１】
2019173411.tif 000003
【図２】
2019173411.tif 000004
【図３】
2019173411.tif 000005
【図４】
2019173411.tif 000006
【図５】
2019173411.tif 000007
【図６】
2019173411.tif 000008
【図７】
2019173411.tif 000009